【事件の表示】
　特願２００１−１３７２５３「携帯通信端末とその捜索システム」拒絶査定不服審判事件〔平成１４年１１月２２日出願公開、特開２００２−３３５５６６〕について、次のとおり審決する。
【結　論】
　本件審判の請求は、成り立たない。
【理　由】
第１　手続きの経緯・本願発明
　本願は、平成１３年５月８日を出願日とする出願であり、平成２２年９月３日付けで拒絶査定がなされ、それに対して同年１２月６日に拒絶査定不服の審判請求がなされるとともに、手続補正書が提出されたものである。
　　　
第２　補正却下の決定
平成２２年１２月６日に提出された手続補正書による補正の却下の決定
　　
（１）［補正却下の決定の結論］
　平成２２年１２月６日に提出された手続補正書による補正（以下、「本件補正」という。）を却下する。
　　
（２）［補正却下の決定の理由］
（ａ）補正の内容
　本件補正によると、少なくとも、その特許請求の範囲の請求項１は、
「ＧＰＳ受信機を有する携帯通信端末において、
　前記ＧＰＳ受信機により得た前記携帯通信端末自体の位置情報を、外部に送信可能な送信手段と、
　使用者が電源状態をオン状態からオフ状態に切り替えるときに押下する電源オフキーと、
　該電源オフキーの押下を検出する押下検出手段と、
　前記電源状態が前記オン状態のときに、前記押下検出手段により前記電源オフキーの押下が検出されると、前記ＧＰＳ受信機により前記携帯通信端末自体の現在の位置情報を獲得するとともに、該現在の位置情報を前記送信手段により自動的に送信し、該送信が終了したときに前記電源状態を前記オン状態から前記オフ状態に切り替える制御手段と、
を具備する携帯通信端末。」
と補正されている。　
　　　
　上記補正は、本件補正前の請求項１に記載した発明を特定するために必要な事項である「前記電源状態が前記オン状態のときに、該電源オフキーが押下されると、前記ＧＰＳ受信機により位置情報を獲得して前記送信手段により送信する制御手段」を、「該電源オフキーの押下を検出する押下検出手段と、前記電源状態が前記オン状態のときに、前記押下検出手段により前記電源オフキーの押下が検出されると、前記ＧＰＳ受信機により前記携帯通信端末自体の現在の位置情報を獲得するとともに、該現在の位置情報を前記送信手段により自動的に送信し、該送信が終了したときに前記電源状態を前記オン状態から前記オフ状態に切り替える制御手段」とするものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
（１）原査定の拒絶の理由に引用された国際公開第９９／１２３７８号（以下、「引用例」という。）には、図面とともに次の記載がある。
（ア）「
FIELD  OF  THE  INVENTION
The present invention relates generally to the problem of positioning of a mobile station (“MS”) in a Public Land Mobile Network (“PLMN”) , and more particularly to the problem of establishing the most accurate estimate of the last known position of the mobile station when the mobile station has switched off or has left the coverage area of the network.」（第１頁第５行〜第１２行）
（当審訳：
発明が属する技術分野
本発明は公衆陸上移動ネットワーク（“ＰＬＭＮ”）における移動局の位置検出問題に関し、特に移動局のスイッチが切られたとき、又は移動局がネットワークのカバーエリアを外れた時に、移動局の最終検出位置の最も正確な推定を確立する問題に関する。）
　　　
（イ）「This introduces new function. The subscriber information has to be copied when the subscriber enters a new MSC/VLR area. Conversely, the corresponding record has to be erased in the previous MSC/VLR area in which the subscriber was registered. This updating of the databases is done when certain events occur. These events include call set-up, handovers, call complete, IMSI (International Mobile Subscriber Identity) attach (i.e. when the mobile station switches on), IMSI detach (i.e. when the mobile station switches off) and location updates.
　　
As mentioned above, there is increasing demand for the development of PLMN-based positioning can be considered to consist of four parts: a Positioning Procedure, a positioning gateway, applications, and signalling mechanisms.
　　　
The first of these four parts is a Positioning Procedure. This is a mechanism which is used by the network, e.g. GMS, to find out and report relative, or the mobile station. Different Positioning Procedure can exist in the network simultaneously. These different Positioning Procedures can each have their own technical solutions and degrees of accuracy. The degrees of accuracy can range from the whole Service Area of PLMN down to below 100 meters. However, in general, the higher the degree of accuracy, the higher the cost to the network in terms of signalling capacity and load.
         　　
One example of such a Positioning Procedure is GPS, Global Positioning System. GPS is satellite based system wherein a mobile station must be equipped its position through reception of signals from at least three satellites. The position of the mobile station can then be acquired by the application, for example, polling the GPS terminal, after which the position information is sent over the network to the application.」（第３頁第２８行〜第５頁第２行）
（当審訳：この方法は新たな機能を生み出す。加入者が新しいＭＳＣ／ＶＬＲエリアに入った時点で、加入者情報はコピーされねばならない。逆に言えば、対応するレコードは以前に加入者が登録されていたＭＳＣ／ＶＬＲエリアから消去されなければならない。このデータベース更新は所定のイベントが発生した時点で実行される。これらのイベントは呼設定(call set-up)、ハンドオーバ、呼完了(call complete)、ＩＭＳＩ(International Mobile Subscriber Identify)アタッチ（すなわち、移動局スイッチのオン）、ＩＭＳＩデタッチ（すなわち、移動局スイッチのオフ）、及び位置更新を含む。
　
上述したように、ＰＬＭＮベースの位置検出の開発に対する要求が増大している。ＰＬＭＮベースの位置検出は４つのパートから構成されると考えることができる。すなわち、位置検出手続き(Positioning Procedure)、位置登録ゲートウェイ、アプリケーション及びシグナリング機構である。
　　
４つのパートのうち最初は、位置検出手続きである。これはネットワーク、例えばＧＳＭにおいて、移動局の位置に関する相対的な情報もしくはいくつかの場合においては絶対的な情報を見つけだして報告するために用いられる機構である。異なる位置検出手続きがネットワークの中に同時に存在することが可能である。これらの異なる位置検出手続きはそれぞれが自らの技術的な解決策(technical solutions)及び正確さの程度を有していて良い。正確さの程度はＰＬＭＮのサービスエリア全体から、１００メーター以下までの範囲であることができる。しかしながら、一般的には正確さの程度が高くなるに連れてシグナリング能力及び負荷に関してネットワークに対するコストも高くなる。
　　
このような位置検出手続きの一例は全地球測位システム(Global Positioning System)ＧＰＳである。ＧＰＳは衛星ベースのシステムであり、移動局はＧＰＳ端末を装備していなければならない。ＧＰＳ端末は少なくとも３つの衛星からの受信信号を通じてその位置を決定することができる。そして、移動局の位置は例えばＧＰＳ端末をポーリングし、その後位置情報がネットワークを介してアプリケーションへ送信されてくる。）
　　　
（ウ）「In future positioning systems there will be several ways to discover the location of a Mobile Station by using different Positioning Procedures.
　　　
The Positioning Procedure could be terminal-based or network-based. In a terminal-based solution it is the mobile stations that find out and report relative positioning data to the Mobile Positioning Center for calculation of the absolute position. In a network-based solution it is the Base Station system 110 that reports the relative data to the Mobile Positioning Center 170. A Positioning Procedure could also be a combination of both a terminal-based and a network-based procedure. Other Positioning Procedure could consist of external positioning equipment connected to the Mobile Station, e.g. GPS.
   　
A problem that exists with these Positioning Procedures is based on the need to be able to locate the MS with an accuracy good enough for the applications. This need requires the network to be able to establish contact with the Mobile Station. This means that the Mobile Station must be switched on and within the coverage area of the network.
　　　　
However a problem occurs when the Mobile Station is switched off or has left the coverage area of the network. It is then impossible to get accurate information about where and when the last known position of mobile station was. However, in these circumstances the best information available in GSM, for example, is the Location Area. This accuracy is not good enough for most of the applications and there is no mechanism to guarantee that the information is available in the system when desired by the application.」（第６頁第１９行〜第７頁第１７行）
（当審訳：将来の位置検出システムにおいては、異なる位置検出手続きを用いることにより移動局の位置を発見するいくつかの方法があるだろう。
　
位置検出手続きは端末ベース又はネットワークベースであってもよい。端末ベースの手続きでは、移動局が相対位置データを求め、移動局位置検出センター(Mobile Positioning Center)に絶対位置の計算のために相対位置データを報告する。ネットワークベースの手続きでは、基地局システム１１０が相対データを移動局位置検出センター１７０に報告する。位置検出手続きはまた、端末ベースの手続きとネットワークベースの手続きの組み合わせであっても良い。その他の位置検出手続きとして、移動局に接続された外部位置検出装置、例えばＧＰＳによって構成することもできる。
　　
これらの位置検出手続きにおける問題は、アプリケーションに対して十分良い精度で移動局の位置を特定できることの必要性に基づく。この必要性はネットワークに対して移動局との接続確立が可能であることを要求する。これは、移動局の電源がオンであって、移動局がネットワークのカバーする範囲内に存在しなければならないことを意味する。
　　　
しかしながら、移動局の電源がオフされている、又は移動局がネットワークのカバー範囲から出たときに問題が発生する。そして、最後に移動局がいつ、どこにいたかについての正確な情報を得ることが不可能になる。しかし、この点に関してＧＳＭでわかりうる最も詳細な情報は例えば在エリアである。この精度は大多数のアプリケーションにとって不十分であり、アプリケーションから要求があった際にシステムで得られる情報を保証するための機構も存在しない。）　　　
    
（エ）「
SUMMARY　OF　THE　INVENTION
　　
The solution to the above described problem is to update the subscriber databases available in the system on a regular basis with accurate positioning data. The data can then be used to obtain the last known Location of the Mobile Station when it can’t be reached. What positioning data that is to be stored is a question of implementation. This could be, for example, the cell identification, or longitude and latitude as is used in GPS. However, since data is to be stored for all Mobile Stations moving around in the network, it is important to use a system friendly implementation that doesn’t cause too much extra load which steals capacity in the network, but which still gives an accuracy that is good enough for the applications.
   
In the preferred embodiment of the present invention as implemented in GSM, there are two subscriber databases that will be updated. These are the Visitor Location Register 133 and the Home Location Register 132. The Visitor Location Register 133 is used for temporary storage while the Home Location Register 132 is used for permanent storage.
    
The Visitor Location Register 133 is updated when certain events occur that make the position information available to the system. Since the VLR 133 is only used for temporary storage of subscriber data, the positioning information must be transferred to the HLR 132 for permanent storage when subscriber record in the VLR 133 is to be deleted for some reason.」（第７頁第１８行〜第８頁第１４行）
（当審訳：
発明の概要
　　　　
上述の問題点を解決する手段は、システムで有効な加入者データベースを定期的に正確な位置データによって更新することである。そして、そのデータは移動局を検出できないときの最終位置(last known location)を得るために用いることができる。どの位置データが保存されるべきかが実装上の問題となる。これは、例えばセル識別子(cell identification)又はＧＰＳで用いられているような経度及び緯度でよい。しかし、ネットワークの方々を移動する全ての移動局に対してデータが保存されるため、ネットワークの能力を落とすような大きすぎる負荷増加の原因とならず、かつアプリケーションには十分な精度を供給する、システムフレンドリーな実装を用いることが重要である。
　　　
ＧＳＭに実装される、本発明の好適な実施形態においては、更新の対象となる２つの加入者データベースが存在する。それらはビジター位置レジスタ(Visitor Location Register)１３３とホーム位置レジスタ(Home Location Register)１３２である。ビジター位置レジスタ１３３は一時的(temporary)な保存に、ホーム位置レジスタ１３２は永続的(permanently)な保存に用いられる。
　　
ビジター位置レジスタ（ＶＬＲ）１３３はシステムに位置情報の入手を可能とさせる所定のイベントが発生した時に更新される。ＶＬＲ１３３は加入者データの一時的な保存に用いられるため、ＶＬＲ１３３に記録された加入者が何らかの理由によって削除される場合、位置情報は永続的な保存のためにＨＬＲ１３２へ転送されなければならない。
　　　　
（オ）「Although the main aspect of the present invention involves providing position information to various applications, it is necessary for the particular database or databases which store the position information to be updated. In GSM, of course, these are the Visitor Location Register (“VLR”), which is used for temporary storage, and the Home Location Register (“HLR”), which is used for permanent storage. First, the position information, e.g. CGI, is stored in the VLR when certain events occur that make the information available in the system. If, for example, TA is used, it will also be sent for storage with the CGI. In addition to these, a time stamp will also be sent to the VLR which will be stored to show the date and time when the information was retrieved.
  
This information, e.g. CGI, TA, and time stamp, will be stored in the VLR when certain events occur. These events include call set-up, handovers, call complete, IMSI (International Mobile Subscriber Identity) attach (i.e. when the mobile station switches on), IMSI detach (i.e. when the mobile station switches off) and location updates. See Figure 2.」（第１１頁第８行〜第２６行）.　　　
（当審訳：本発明の主要な観点は種々のアプリケーションに位置情報を供給することに関するけれども、更新されるべき位置情報を記憶するための特定のデータベース（１つ又は複数）が必要である。もちろんＧＳＭにおいては、一時的な記憶に用いられるビジター位置レジスタ（”ＶＬＲ”）と、永続的な記憶に用いられるホーム位置レジスタ（”ＨＬＲ”）がある。最初に、例えばＣＧＩである位置情報は、システムにおいてその位置情報を利用できる状態にする、所定のイベントが発生するとＶＬＲに保存される。もし、例えばＴＡが用いられるとすると、ＴＡはＣＧＩとともに記憶装置に送信される。これらに加えて、タイムスタンプもまたＶＬＲに送信され、情報が読み出された日時を示すために保存される。
　　　
この情報、例えばＣＧＩ、ＴＡ及びタイムスタンプは、所定のイベントが発生するとＶＬＲに保存される。これらのイベントは呼設定(call set-up)、ハンドオーバ、呼切断(call complete)、ＩＭＳＩ(International Mobile Subscriber Identity)アタッチ（すなわち、移動局スイッチのオン）、ＩＭＳＩデタッチ（すなわち、移動局スイッチのオフ）及び位置情報更新を含む。図２を参照されたい。）
　　
　以上の記載によれば、この引用例には以下のような発明（以下、「引用発明」という。）が開示されていると認められる。
「公衆陸上移動ネットワーク（“ＰＬＭＮ”）における移動局の位置を得る方法であって、
　最初に、移動局の位置情報は、所定のイベントが発生すると、更新されるべき位置情報を記憶するための特定のデータベースに送信されて保存され、
前記所定のイベントには、呼設定(call set-up)、ハンドオーバ、呼完了(call complete)、ＩＭＳＩ(International Mobile Subscriber Identify)アタッチ（すなわち、移動局スイッチのオン）、ＩＭＳＩデタッチ（すなわち、移動局スイッチのオフ）が含まれ、
位置データは、例えばセル識別子(cell identification)又はＧＰＳで用いられているような経度及び緯度でよく、
前記データベースにおいて更新され最終保存された位置情報を、前記データベースから読み出し、移動局の最終位置を得ることが可能となる方法。」
　　　　
（ｃ）　対　比
　本願発明と引用発明とを対比する。
（１）引用発明の「移動局」は、本願補正発明の「携帯通信端末」に相当する。
（２）引用例には、「端末ベースの手続きでは、移動局が相対位置データを求め、移動局位置検出センター(Mobile Positioning Center)に絶対位置の計算のために相対位置データを報告する。」（記載事項（ウ））と記載されており、引用発明において、移動局が移動局自体の位置情報を、更新されるべき位置情報を記憶するための特定のデータベースに送信する手段を具備することも明らかといえるから、本願補正発明の「前記ＧＰＳ受信機により得た前記携帯通信端末自体の位置情報を、外部に送信可能な送信手段」を具備する点と、「前記携帯通信端末自体の位置情報を、外部に送信可能な送信手段」を具備する点で対応するといえる。
（３）引用発明の「移動局スイッチ」は、本願補正発明の「使用者が電源状態をオン状態からオフ状態に切り替えるときに押下する電源オフキー」に相当するといえる。
（４）引用発明の所定のイベントに含まれる「ＩＭＳＩデタッチ（すなわち、移動局スイッチのオフ）」は、本願補正発明の「電源オフキーの押下」に相当するといえる。
（５）引用発明は、「移動局の位置情報は、所定のイベントが発生すると、更新されるべき位置情報を記憶するための特定のデータベースに送信され」、所定のイベントに「ＩＭＳＩデタッチ（すなわち、移動局スイッチのオフ）」が含まれるから、「ＩＭＳＩデタッチ（すなわち、移動局スイッチのオフ）」を検出する手段を具備し、該検出する手段により「ＩＭＳＩデタッチ（すなわち、移動局スイッチのオフ）」が検出されると、移動局の位置情報を検出するとともに、該位置情報を送信する手段を具備することは明らかといえ、本願補正発明の「該電源オフキーの押下を検出する押下検出手段と、前記電源状態が前記オン状態のときに、前記押下検出手段により前記電源オフキーの押下が検出されると、前記ＧＰＳ受信機により前記携帯通信端末自体の現在の位置情報を獲得するとともに、該現在の位置情報を前記送信手段により自動的に送信し、該送信が終了したときに前記電源状態を前記オン状態から前記オフ状態に切り替える制御手段」とを具備する点と、「該電源オフキーの押下を検出する押下検出手段と、前記電源状態が前記オン状態のときに、前記押下検出手段により前記電源オフキーの押下が検出されると、前記携帯通信端末自体の位置情報を獲得するとともに、該位置情報を前記送信手段により自動的に送信する制御手段」とを具備する点で対応するといえる。
　　
　したがって、本願発明の用語を用いて表現すると両者は、
「携帯通信端末において、
　前記携帯通信端末自体の位置情報を、外部に送信可能な送信手段と、
　使用者が電源状態をオン状態からオフ状態に切り替えるときに押下する電源オフキーと、
　該電源オフキーの押下を検出する押下検出手段と、前記電源状態が前記オン状態のときに、前記押下検出手段により前記電源オフキーの押下が検出されると、前記携帯通信端末自体の位置情報を獲得するとともに、該位置情報を前記送信手段により送信する制御手段と、
を具備する携帯通信端末。」
で一致するものであり、次の（１）、（２）点で相違している。
　
（相違点）
（１）本願補正発明は、ＧＰＳ受信機を有する携帯通信端末であって、送信手段から外部に送信する携帯通信端末自体の位置情報を前記ＧＰＳ受信機により得ているのに対し、引用発明は、そのような構成が明記されていない。
　　　
（２）本願補正発明は、「前記押下検出手段により前記電源オフキーの押下が検出されると、前記ＧＰＳ受信機により前記携帯通信端末自体の現在の位置情報を獲得するとともに、該現在の位置情報を前記送信手段により自動的に送信し、該送信が終了したときに前記電源状態を前記オン状態から前記オフ状態に切り替える制御手段」を具備するのに対し、引用発明は、そのような構成は記載されていない点。
　　
（ｄ）　当審の判断
・相違点（１）について
　引用発明は、「位置データは、例えばセル識別子(cell identification)又はＧＰＳで用いられているような経度及び緯度」でよいことが示されており、さらに、引用例には、「その他の位置検出手続きとして、移動局に接続された外部位置検出装置、例えばＧＰＳによって構成することもできる。」（記載事項（ウ））と記載されている。　
　そして、ＧＰＳ受信機を有し、特定のボタンの操作を検出すると、該ＧＰＳ受信機により獲得した携帯通信端末自体の位置情報を送信手段から外部に送信する携帯通信端末は、本願出願日前周知の技術である（例えば、特開２００１−１１６５５６号公報段落【００３４】の「携帯電話機２１内のＧＰＳ２１ｂにより位置情報を取得することができる。そして、携帯電話機２１を外して持ち歩き、エマージェンシーボタン２７を押下した場合、ＧＰＳ２１ｂで検出された位置データをセンター２へ送信することができ、緊急の対処を受けることができる。」の記載、特開２００１−８２５６号公報段落【００１８】〜【００２２】の「非常用釦３７が操作されると、ＥＥＰＲＯＭ３４に予め記憶されている管理センター２の電話番号を読み出して該電話番号に対する自動発呼動作を開始する。・・・（中略）・・・当該移動体通信端末器１は基地局３、公衆回線網４を通じて管理装置７に非常通報の情報と、ＧＰＳ受信部３８で測位演算によって求めた現在の位置情報と、当該移動体通信端末器１の識別情報として当該移動体通信端末器１の電話番号とを非常事態発生を示す信号として送る。」の記載、特開２０００−３２５６２号公報段落【００１５】、【００１６】の「登山者Ｐが携帯するハンディ端末１０１は、ＧＰＳ衛星２０からの電波２１を利用し、この電波２１に基づいて、ハンディ端末１０１が存在する位置の情報（登山者Ｐの現在位置情報）を演算装置１２が演算する。・・・（中略）・・・また、緊急時に、登山者ＰがパニックボタンＰＢを押すことによって、ハンディ端末１０１から、登山者Ｐの現在位置情報と、ハンディ端末１０１のＩＤとが、緊急通報情報（アップリンク）３１と、携帯電話基地局３０と、緊急通報情報（ダウンリンク）３２とを介して、登山者管理センタ側通信装置４０１に送られる。」の記載参照。）。
　したがって、引用発明の移動局をＧＰＳ受信機を有する携帯通信端末とし、前記ＧＰＳ受信機により得た前記携帯通信端末自体の位置情報を、外部に送信可能な送信手段を具備するようにすることは、当業者が容易に想到し得ることである。
　　　
・相違点（２）について
　本願補正発明における「携帯通信端末自体の現在の位置情報」とは、「押下検出手段により前記電源オフキーの押下が検出される」時点の携帯通信端末の位置情報であることは明らかである。
　そして、引用発明は、「移動局の位置情報は、所定のイベントが発生すると、更新されるべき位置情報を記憶するための特定のデータベースに送信され」、所定のイベントに「ＩＭＳＩデタッチ（すなわち、移動局スイッチのオフ）」が含まれるから、「ＩＭＳＩデタッチ（すなわち、移動局スイッチのオフ）」が検出される時点の移動局の位置情報を獲得して、該位置情報を送信していることは明らかであり、移動局スイッチのオフが検出されると、移動局の現在の位置情報を獲得して、該現在の位置情報を自動的に送信しているといえるものである。
　また、ＧＰＳ受信機により前記携帯通信端末自体の現在の位置情報を獲得し、送信することは、上記相違点（１）で検討した事項と同様に容易に想到し得ることである。
　さらに、無線情報処理端末において、電源オフスイッチの押下が検出されると、情報を送信手段により自動的に送信し、該送信が終了したときに電源状態をオン状態からオフ状態に切り替える制御手段を具備することは、本願出願日前周知の技術である（例えば、特開平９−５０４７１号公報段落【００２３】の「ユーザが利用者端末１０６の電源をOFFすると、利用者端末１０６から映像受信終了要求が電波で送信され、無線基地局１０５及び公衆回線１０４を介して利用者データ管理部１０３に送られる。」、段落【００３８】、【００３９】の「利用者端末１０６は、図７に示すように、利用者端末１０６の電源の入・切を行う電源スイッチ７０１と、電源スイッチ７０１の入・切動作を検知して映像受信開始要求または映像受信終了要求を生成する要求生成部７０２と、・・・（中略）・・・この利用者端末１０６では、要求生成部７０２が、電源スイッチ７０１の変化を検知し、OFF状態からON状態に切換えられた場合は受信開始要求を、ON状態からOFF状態に切換えられた場合は映像受信終了要求を生成し、送受信制御部７０３に生成した要求を伝える。送受信制御部７０３は、生成した要求を電波に変換して送信する。」の記載、特開平１０−１３３７８８号公報段落【００４２】の「電源供給の停止が、情報処理端末８の電源スイッチ１３の押下により発生している（図４の（４）参照）。すなわち情報処理端末８の電源スイッチ１３の押下により、情報処理端末８の赤外線送信部９から「終了通知」が無線型情報入力装置１の赤外線受信部３に送信され、これを受けて無線型情報入力装置１の電源部５が電源供給の停止処理を行い（図４の（５））、その後情報処理端末８が、自装置の電源供給を停止する（図４の（６））」（当審注：丸数字は、（数字）で示した。）の記載参照。）。
　したがって、引用発明において、「前記押下検出手段により前記電源オフキーの押下が検出されると、前記ＧＰＳ受信機により前記携帯通信端末自体の現在の位置情報を獲得するとともに、該現在の位置情報を前記送信手段により自動的に送信し、該送信が終了したときに前記電源状態を前記オン状態から前記オフ状態に切り替える制御手段」を具備するようにすることは、当業者が容易になし得ることある。
　　　　
　また、本願補正発明の作用効果も、引用発明及び周知技術から、当業者であれば予想できる範囲内のものである。
　　　　
（ｅ）結論
　そうすると、本願補正発明は、引用発明及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、平成２２年３月２３日に提出された手続補正書における特許請求の範囲の請求項１に記載された事項により特定される、以下のとおりのものである。
「ＧＰＳ受信機を有する携帯通信端末であって、
　前記ＧＰＳ受信機により得た前記携帯通信端末自体の位置情報を、外部に送信可能な送信手段と、
　使用者が電源状態をオン状態からオフ状態に切り替えるときに押下する電源オフキーと、
　前記電源状態が前記オン状態のときに、該電源オフキーが押下されると、前記ＧＰＳ受信機により位置情報を獲得して前記送信手段により送信する制御手段と、
を具備する携帯通信端末。」
　
第４　引用例
　原査定の拒絶理由に引用された引用例及びその記載事項は、前記「第２　（２）（ｂ）」に記載したとおりである。
　
第５　対比・判断
　本願発明は、前記「第２」で検討した本願補正発明の「該電源オフキーの押下を検出する押下検出手段と、前記電源状態が前記オン状態のときに、前記押下検出手段により前記電源オフキーの押下が検出されると、前記ＧＰＳ受信機により前記携帯通信端末自体の現在の位置情報を獲得するとともに、該現在の位置情報を前記送信手段により自動的に送信し、該送信が終了したときに前記電源状態を前記オン状態から前記オフ状態に切り替える制御手段」を、「前記電源状態が前記オン状態のときに、該電源オフキーが押下されると、前記ＧＰＳ受信機により位置情報を獲得して前記送信手段により送信する制御手段」とするものである。
　そうすると、本願発明の構成要件を全て含み、さらに限定したものに相当する本願補正発明が前記「第２」に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　　
第６　むすび
　以上のとおり、本願発明は、引用発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。